(57)【要約】【課題】試供用および市販用のいずれの棒状化粧料繰出容器も安定して保持され、この棒状化粧料繰出容器の下方への抜け落ちを防止することのできる棒状化粧料テスターを提供する。【解決手段】本発明の棒状化粧料テスターは、棒状化粧料繰出容器（レフィル４等）を収容する有底筒状の保持体（レフィルホルダ１１等）と、棒状化粧料の色見本（キャップ２）とを備え、上記筒状の保持体の底部には、棒状化粧料繰出容器の外筒挿通用の貫通穴１１ｃを有する底板が設けられ、この底板近傍の筒状内周面には、径方向内側に向けて突出するリブ状のストッパ１１ｄが周方向等配に複数形成されている。このため、筒状保持体の開口１１ｅから、アダプタ３付きの試供用棒状化粧料繰出容器（レフィル４）または市販用棒状化粧料繰出容器を保持体内に挿入することにより、これら棒状化粧料繰出容器の大径部分が、保持体内周面のストッパ１１ｄに抜け落ち防止状に係止される。【選択図】図１
2015109961.tif 000002
【特許請求の範囲】
【請求項１】
棒状化粧料繰出容器と、この棒状化粧料繰出容器を収容する有底筒状の保持体と、棒状化粧料の色見本とを備え、上記保持体の底部には、棒状化粧料繰出容器の外筒挿通用の貫通穴を有する底板が設けられ、この底板近傍の筒状内周面には、径方向内側に向けて突出するリブ状のストッパが周方向等配に複数形成され、上記保持体の上面または側面に設けられた開口から、棒状化粧料繰出容器の繰出口を下向きにして上記貫通穴に外筒を挿通させた下記（Ａ）または（Ｂ）の棒状化粧料繰出容器の大径部分が、上記保持体内周面のストッパに抜け落ち防止状に係止されていることを特徴とする棒状化粧料テスター。
（Ａ）外筒とこの外筒の一端から露出する内筒の回動操作部との相対回転に伴って、その内部に収容された棒状化粧料が他端側の繰出口から繰り出される棒状化粧料繰出容器であって、上記回動操作部に、上記保持体の筒状内周面形状に対応する大径部形成用アダプタが、相対回転不能に装着されている試供用棒状化粧料繰出容器。
（Ｂ）棒状化粧料を収容する外筒と、繰り出し操作用の回動操作部を有する内筒とを備え、この回動操作部の周囲に、装飾用の大径のハカマ部が装着された市販用棒状化粧料繰出容器。
【請求項２】
上記保持体が、この保持体に下向きに挿入された各繰出容器の底部に直接係合してその容器の上方への抜け出しを防止する上側係止部を備えている請求項１記載の棒状化粧料テスター。
【発明の詳細な説明】
【技術分野】
【０００１】
本発明は、店頭等に展示され、口紅，リップクリーム等の棒状化粧料を繰り出して試用するための棒状化粧料テスターに関する。
【背景技術】
【０００２】
従来、口紅等、棒状化粧料の色見本品を店頭等で展示する際には、図１０に示すように、有天筒状の保持体（レフィルホルダ３１）の上側に色見本３２（ダミーや色板，シール等）が取り付けられ、その下側に試供用棒状化粧料繰出容器（レフィル３４）が配設された棒状化粧料テスター３０を各色ごとに用意し、これらを、図１１に示すように、上面に多数のテスター挿入穴４０ａが設けられた展示台４０や陳列棚等に並べて展示する方法が用いられている（例えば、特許文献１，２等を参照。）。
【０００３】
この試供用のレフィル３４は、相対回転する外筒３５と内筒（回動操作部３６）からなる筒状体（二重筒構造）の内部に、上記色見本３２と同じ色の化粧料を充填したもので、図１０の組立図（左側）に示すように、その開口（棒状化粧料繰出容器の繰出口）を下に向けた状態でアダプタ３３に嵌入され、このアダプタ３３ごと、有天筒状のレフィルホルダ３１の下端開口から押し込まれ、上記レフィルホルダ３１の内側に、下向きに保持されている。
【０００４】
顧客（ユーザー）が上記のような棒状化粧料テスター３０を試用する場合は、この棒状化粧料テスター３０を展示台４０等から抜き出し、試供用のレフィル３４の開口を上に向け、その状態で、レフィル３４の上記レフィルホルダ３１から露出（突出）している部位（筒状体の外筒３５の先端部）と、上記内筒の回動操作部３６と回転不能に嵌合されたレフィルホルダ３１とを、相対回転させて棒状化粧料を繰り出し、試し塗りすることが行われる。
【０００５】
また、上述のような棒状化粧料テスター３０の展示方法では、棒状化粧料テスター３０が長期間展示されると、試し塗りによって化粧料が使い尽くされたり、すり減って見栄えが悪くなったりする場合がある。その場合は、試供用のレフィル３４を新しいものと交換する必要があるが、このレフィル３４は販売促進用として限定生産されたものが多く、再入手がむずかしい。そこで、使用済みのレフィル３４に代えて、図１０の組立図（右側）のように、市販品（商品）に用いられている棒状化粧料繰出容器３７を、上記レフィルホルダ３１に差し替えて展示することが行われる。
【０００６】
ただし、市販用棒状化粧料繰出容器３７は、通常、その上部の回動操作部の周囲に、「ハカマ（袴）」と呼ばれる装飾用の筒状部材（以下「ハカマ部」という）３８が装着されており、上記試供用のレフィル３４の回動操作部３６に相当するこのハカマ部３８の外径は、上記レフィル３４より大径になっている。そのため、この市販用棒状化粧料繰出容器３７を棒状化粧料テスター３０に用いる場合は、レフィルホルダ３１内から使用済みのレフィル３４とこのレフィル３４用のアダプタ３３を取り去った後、このレフィルホルダ３１の下端開口からそのまま押し込んで固定するか、あるいは、別途専用のアダプタを介して固定する方法が採られる。
【０００７】
なお、この棒状化粧料繰出容器の保持体（レフィルホルダ３１）は、元々、上記試供用のレフィル３４に代えて、この市販用棒状化粧料繰出容器３７を差し替えできるように設計されており、レフィルホルダ３１の筒状部内周面には、この市販用棒状化粧料繰出容器３７の大径部分（ハカマ部３８）の外周面、または、前記レフィル３４用のアダプタ３３の外周面を嵌合して、回転不能な状態で保持するリブ（レフィルホルダ長手方向の凸条，図示省略）が形成されている（特許文献３を参照）。
【先行技術文献】
【特許文献】
【０００８】
【特許文献１】特開平８−１１７０６９号公報
【特許文献２】特開平９−３２２８２０号公報
【特許文献３】特開２０１０−１９３９７８号公報
【発明の概要】
【発明が解決しようとする課題】
【０００９】
ところで、昨今、他社商品および自社既存商品との差別化を図るべく、棒状化粧料の外装容器の高級化が進むにしたがって、商品に使用される市販用棒状化粧料繰出容器３７にも、ハカマ部３８が多角形状のものや、外筒３５の途中に段部が形成されたもの等、これまでとは外周形状や外径が異なるタイプが登場してきている。
【００１０】
しかしながら、従来からの棒状化粧料テスター３０は、市販用棒状化粧料繰出容器３７を使用する場合、そのハカマ部３８（大径部分）の外周をレフィルホルダ３１の筒状部内周面に設けられた各リブの内周に直接嵌合して、この市販用棒状化粧料繰出容器３７を支持する構造のため、ハカマ部３８の外周形状の変更のたびに、上記レフィルホルダ３１の設計を変更（または、内部形状の異なる別のレフィルホルダに交換）しなければならないという手間が生じる。
【００１１】
また、棒状化粧料テスター３０は、試供用のレフィル３４や市販用棒状化粧料繰出容器３７の外径のばらつきや挿し込み不足等によって、上記レフィルホルダ３１による嵌合保持が緩くなる場合がある。この場合、展示棚の照明から受ける熱等に起因するレフィルホルダ３１の変形や緩み等によって、上記レフィル３４や市販用棒状化粧料繰出容器３７が、レフィルホルダ３１から下方に抜け落ちる可能性もあり、その改善が望まれている。
【００１２】
本発明は、このような事情に鑑みてなされたもので、試供用および市販用のいずれの棒状化粧料繰出容器も安定して保持され、この棒状化粧料繰出容器の下方への抜け落ちを防止することのできる棒状化粧料テスターの提供をその目的とする。
【課題を解決するための手段】
【００１３】
上記の目的を達成するため、本発明は、棒状化粧料繰出容器と、この棒状化粧料繰出容器を収容する有底筒状の保持体と、棒状化粧料の色見本とを備え、上記保持体の底部には、棒状化粧料繰出容器の外筒挿通用の貫通穴を有する底板が設けられ、この底板近傍の筒状内周面には、径方向内側に向けて突出するリブ状のストッパが周方向等配に複数形成され、上記保持体の上面または側面に設けられた開口から、棒状化粧料繰出容器の繰出口を下向きにして上記貫通穴に外筒を挿通させた下記（Ａ）または（Ｂ）の棒状化粧料繰出容器の大径部分が、上記保持体内周面のストッパに抜け落ち防止状に係止されている棒状化粧料テスターを、第１の要旨とする。
（Ａ）外筒とこの外筒の一端から露出する内筒の回動操作部との相対回転に伴って、その内部に収容された棒状化粧料が他端側の繰出口から繰り出される棒状化粧料繰出容器であって、上記回動操作部に、上記保持体の筒状内周面形状に対応する大径部形成用アダプタが、相対回転不能に装着されている試供用棒状化粧料繰出容器。
（Ｂ）棒状化粧料を収容する外筒と、繰り出し操作用の回動操作部を有する内筒とを備え、この回動操作部の周囲に、装飾用の大径のハカマ部が装着された市販用棒状化粧料繰出容器。
【００１４】
また、本発明は、上記棒状化粧料テスターのなかでも、上記保持体が、この保持体に下向きに挿入された各繰出容器の底部に直接係合してその容器の上方への抜け出しを防止する上側係止部を備えているものを、第２の要旨とする。
【００１５】
すなわち、本発明は、有底筒状の保持体（レフィルホルダ）の底部に、棒状化粧料繰出容器の繰出口の径に対応する貫通穴と、棒状化粧料繰出容器の大径部分（太径部位）を係止するリブ状のストッパとを設け、棒状化粧料繰出容器の先端部を、上記ストッパおよび貫通穴より上側から、下側に向かって挿通させ、上記棒状化粧料繰出容器の繰出口を保持体の下方に露出させることにより、この棒状化粧料繰出容器の下方への抜け出し（落下）を、完全にストップしようとするものである。
【発明の効果】
【００１６】
本発明の棒状化粧料テスターは、筒状の保持体の底部に、棒状化粧料繰出容器の外筒挿通用の貫通穴を有する底板が設けられ、この底板近傍の筒状内周面には、径方向内側に向けて突出するリブ状のストッパが複数形成されている。そのため、前記（Ａ）または（Ｂ）のどちらの構造の棒状化粧料繰出容器であっても、上記筒状の保持体の上面または側面に設けられた開口から、この棒状化粧料繰出容器を、その繰出口を下向きにして上記貫通穴に外筒（先端部）を挿通させて収容することにより、上記棒状化粧料繰出容器の大径部分（太径部位）が、ストッパにより係止され、その位置が固定される。これより、本発明の棒状化粧料テスターは、どのような使用形態でも、内部に収容された棒状化粧料繰出容器が、下方へ抜け落ちることがない。
【００１７】
また、本発明の棒状化粧料テスターは、棒状化粧料繰出容器を上記保持体の底部（貫通穴）方向に引き抜くことができず、内部の棒状化粧料繰出容器の取り出し方法（交換方法）も使用者（ユーザー）から分かりにくいことから、上記棒状化粧料繰出容器のユーザーによる不用意な取り出しや、この棒状化粧料繰出容器の盗難等を、未然に防止するという効果を奏する。
【００１８】
さらに、本発明の棒状化粧料テスターのなかでも、特に、上記棒状化粧料繰出容器を収納する保持体が、この保持体に下向きに挿入された各繰出容器の底部に直接係合してその容器の上方への抜け出しを防止する上側係止部を備えているものは、この棒状化粧料テスターが下向きに落下して、上記棒状化粧料繰出容器が上向き（保持体から抜け出す向き）に大きな衝撃を受けたとしても、その容器の保持体からの抜け出しを、確実に防止することができる。
【図面の簡単な説明】
【００１９】
【図１】（ａ）は第１実施形態における棒状化粧料テスターの分解斜視図であり、（ｂ）はキャップの外観斜視図、（ｃ）はアダプタの外観斜視図、（ｄ）はレフィルホルダの外観斜視図、（ｅ）は棒状化粧料テスター全体の外観斜視図である。
【図２】第１実施形態の棒状化粧料テスターの断面図である。
【図３】（ａ）は第２実施形態における棒状化粧料テスターの分解斜視図であり、（ｂ）はキャップの外観斜視図、（ｃ）はレフィルホルダの外観斜視図、（ｄ）は棒状化粧料テスター全体の外観斜視図である。
【図４】第２実施形態の棒状化粧料テスターの断面図である。
【図５】（ａ）は第３実施形態における棒状化粧料テスターの分解斜視図であり、（ｂ）はキャップの外観斜視図、（ｃ）はレフィルホルダにレフィルを収容した状態の外観斜視図、（ｄ）は棒状化粧料テスターの縦方向断面図である。
【図６】（ａ）は第４実施形態における棒状化粧料テスターの分解斜視図であり、（ｂ）はキャップの外観斜視図、（ｃ）はレフィルホルダにレフィルを収容した状態の外観斜視図、（ｄ）は棒状化粧料テスターの縦方向断面図である。
【図７】（ａ）は第５実施形態における棒状化粧料テスターの外観斜視図であり、（ｂ）はキャップの外観斜視図、（ｃ）は棒状化粧料テスターの縦方向断面図、（ｄ）は（ｃ）に直交する方向の断面図である。
【図８】（ａ）は、第６実施形態の棒状化粧料テスターにおいて、保持体にアダプタ付き試供用棒状化粧料繰出容器を収容する方法を説明する図であり、（ｂ）は、保持体に市販用棒状化粧料繰出容器を収容する方法を説明する図である。
【図９】（ａ）は、第６実施形態の棒状化粧料テスターにおいて、保持体にアダプタ付き試供用棒状化粧料繰出容器を収容した状態を示す断面図であり、（ｂ）は、保持体に市販用棒状化粧料繰出容器を収容した状態を、上記（ａ）とは異なる方向から見た断面図である。
【図１０】従来の棒状化粧料テスターの構成を示す組立図である。
【図１１】棒状化粧料テスターの展示方法を説明する図である。
【発明を実施するための形態】
【００２０】
つぎに、本発明の実施の形態を、図面にもとづいて詳しく説明する。ただし、本発明は、この実施の形態に限定されるものではない。
【００２１】
図１（ａ）は、本発明の第１実施形態における棒状化粧料テスターＡ１の組み立て方法を説明する分解斜視図である。また、図１（ｂ）〜（ｄ）は、それぞれ、上記棒状化粧料テスターＡ１に用いられているキャップ２、アダプタ３、レフィルホルダ１１を開口側から見た斜視図であり、図１（ｅ）は、組み立ての完成した棒状化粧料テスターＡ１全体を上側から見た外観斜視図である。
【００２２】
なお、ユーザーの操作を考慮して、図１（ａ）における筒状の保持体（レフィルホルダ１１）の上下方向を、そのまま「上側」および「下側」として説明する。また、図１（ａ）においては、使用時に取り除かれる、輸送時用の保護カバー（樹脂キャップ）５ａの図示を省略している。
【００２３】
この第１実施形態は、本発明を、口紅等、棒状化粧料の色見本品を店頭等で展示する際に用いられる棒状化粧料テスターＡ１に適用したものであり、図１，図２に示すように、有底筒状の保持体（レフィルホルダ１１）と、棒状化粧料の色見本を兼用する蓋部材（キャップ２）とからなる、繰出容器保持体として構成されている。
【００２４】
この棒状化粧料テスターＡ１は、図１（ａ）のように、レフィルホルダ１１の上面に設けられた開口１１ｅから、アダプタ３が装着された試供用棒状化粧料繰出容器（レフィル４）を、その繰出口４ａを下向きにしてレフィルホルダ１１内に挿入し、図２に示す断面図のように、上記繰出口４ａをレフィルホルダ１１の底部（底板１１ｂ）に設けられた貫通穴１１ｃから下方に突出させた状態に、組み立てられている。
【００２５】
そして、この状態で、レフィル４に装着されたアダプタ３の大径部（底板３ｂ）が、上記レフィルホルダ１１の筒状部１１ａ内周面の下部に形成されたリブ状の各ストッパ１１ｄ〔図１（ｄ）参照〕に係止されることにより、上記レフィル４の下方への抜け落ちが防止されている。
【００２６】
図１を用いて、上記棒状化粧料テスターＡ１を構成する各部材について、詳しく説明すると、棒状化粧料繰出容器の保持体としてのレフィルホルダ１１は、外周が多角形状（本実施形態においては略四角形状）に形成された筒状部１１ａと、上記レフィル４の先端の繰出口４ａを挿通させることのできる貫通穴１１ｃを有する底板１１ｂとからなり、その上部（上面）には、アダプタ３を装着したレフィル４を挿入するための開口１１ｅが設けられている。
【００２７】
また、このレフィルホルダ１１の筒状部１１ａの内周面の下部（貫通穴１１ｃの近傍）には、図１（ｄ）に示すように、各角部（入隅部）に２つずつ、リブ状のストッパ１１ｄ，１１ｄが設けられており、これらストッパ１１ｄ，１１ｄに、上記アダプタ３下端の底板３ｂの外縁（大径部）が係合するようになっている。
【００２８】
なお、上記レフィルホルダ１１の筒状部１１ａ内周面の上部（開口１１ｅの近傍）には、後記キャップ２の嵌合部２ｂに設けられた係合部２ｃと係合する被係合部１１ｆが形成されている。また、図１（ｄ）に示すように、レフィルホルダ１１の筒状部１１ａの外周面の下部から底板１１ｂに向かって、レフィルホルダ１１の筒状部１１ａを斜めに貫通するストラップホール１１ｘが設けられており、このストラップホール１１ｘに、盗難防止用のテグス等を挿通することができるようになっている。
【００２９】
上記レフィルホルダ１１の開口１１ｅを蓋するキャップ２は、その上部が上記レフィルホルダ１１と略同じ外周形状（略四角形状）を有する色見本部２ａになっており、その下部がレフィルホルダ１１の開口１１ｅの内周に嵌合する嵌合部２ｂになっている。また、このキャップ２の嵌合部２ｂの外周面には、先に述べた係合部２ｃが設けられている。
【００３０】
なお、上記キャップ２の嵌合部２ｂの色見本部２ａからの突出長さ（下方への突出量）は、図２のように、レフィルホルダ１１に嵌合させた場合に、レフィルホルダ１１の内周面に設けられた段部に当接する長さに形成されており、この状態で、キャップ２の嵌合部２ｂの下端が、レフィルホルダ１１内に収容されたアダプタ３の上端（天板３ｃ）に当接するようになっている。
【００３１】
図１に示すように、レフィル４に装着されるアダプタ３は、内周面にレフィル嵌合用の複数のリブ３ｅを有する円筒部３ａと、下部の底板３ｂ（大径部）および上部の天板３ｃとから構成されており、この円筒部３ａの内周に、上記レフィル４の回動操作部６を嵌入して固定することができるようになっている。また、アダプタ３の円筒部３ａの上部には、上向きコの字状の窓状切り欠き部位が設けられており、この中に、下向き舌片状のレフィル係合部３ｄ，３ｄが形成されている。そして、このレフィル係合部３ｄの内側（内面側）に設けられた凸部が、図２に示すように、内周に嵌入された回動操作部６の段部に嵌り込んでこれを固定するようになっている。
【００３２】
なお、上記アダプタ３のレフィル係合部３ｄ内側の凸部は、レフィル４の回動操作部６を抜け止め状に固定するために、いわゆる「返し」形状に形成されている。そして、各レフィル係合部３ｄの凸部の係合と上記円筒部３ａ内周面の各リブ３ｅの当接により、このアダプタ３は、レフィル４の回動操作部６に対して一体（相対回転不能）に装着・固定されている（レフィル４の外筒５は回動自在）。
【００３３】
上記棒状化粧料テスターＡ１に出荷当初にセットされる棒状化粧料繰出容器（本例では、レフィル４）は、従来品と同様、相対回転する外筒５と内筒（回動操作部６）からなる筒状体の内部に、色見本（キャップ２）と同じ色の化粧料が充填されたものである。そして、その上部（回動操作部６）をアダプタ３に嵌入して、レフィルホルダ１１に挿入、セットすることにより、このレフィル４は、図２に示すように、その下部（先端の繰出口４ａ）をレフィルホルダ１１の底部（底板１１ｂ）に設けられた貫通穴１１ｃから下方に突出した状態で、レフィルホルダ１１に保持されるようになっている。
【００３４】
そして、先にも述べたように、このレフィル４は、試し塗りによってその内部の化粧料が使い尽くされたり、すり減って見栄えが悪くなったりした場合、交換される。その交換は、上記レフィルホルダ１１からキャップ２を取り外し、このレフィル４をアダプタ３ごと上方に引き抜いて取り去った後、新たなレフィル４（アダプタ３付き）、または、代わりとなる市販用棒状化粧料繰出容器（図３の符号７を参照）をレフィルホルダ１１内に挿入することにより、簡単に行うことができる。
【００３５】
なお、上記新たなレフィル４（アダプタ３付き）または市販用棒状化粧料繰出容器７に交換した際も、上記新たなレフィル４（アダプタ３付き）または市販用棒状化粧料繰出容器７の大径部分（太径部位）が、前記と同様、レフィルホルダ１１の筒状部１１ａ内周面の下部（貫通穴１１ｃの近傍）に設けられたリブ状のストッパ１１ｄに係止され、下方への抜け止めがなされるようになっている。
【００３６】
以上の構成により、本実施形態の棒状化粧料テスターＡ１は、レフィルホルダ１１の内部に、試供用棒状化粧料繰出容器（レフィル４）もしくは市販用棒状化粧料繰出容器７のどちらを収容した場合でも、これらの下方への抜け出しを防止することができる。
【００３７】
つぎに、本発明の第２実施形態について説明する。
図３（ａ）は、本発明の第２実施形態における棒状化粧料テスターＢ１の組み立て方法を説明する分解斜視図である。また、図３（ｂ），（ｃ）は、それぞれ、上記棒状化粧料テスターＢ１に用いられているキャップ２、レフィルホルダ１２を開口側から見た斜視図であり、図３（ｄ）は、組み立てが完成した棒状化粧料テスターＢ１全体を上側から見た外観斜視図である。
【００３８】
なお、この第２実施形態においては、試供用棒状化粧料繰出容器（レフィル４）が使い尽くされ、それを市販用棒状化粧料繰出容器７に交換する際を例に示している。また、図中の符号１２ｂはレフィルホルダ１２の底板を、符号１２ｆはレフィルホルダ１２の被係合部を示し、第１実施形態と同様の機能を有する他の構成部材は、第１実施形態と同じ符号を付して、その詳細な説明を省略する。
【００３９】
先の第１実施形態でも述べたように、試し塗りによってレフィル４（図示省略）に充填された化粧料が使い尽くされたり、すり減って見栄えが悪くなったりした場合、このレフィル４は、市販用棒状化粧料繰出容器７に交換される。その交換は、図３（ａ）に示すように、レフィルホルダ１２からキャップ２を取り外し、上記レフィル４をアダプタ３ごと上方に引き抜いて取り去った後、代わりとなる市販用棒状化粧料繰出容器７を、その先端の繰出口７ａを下に向けて、上記レフィルホルダ１２の上面に設けられた開口１２ｅから挿入する。
【００４０】
これにより、第１実施形態と同様、図４の断面図に示すように、交換後の市販用棒状化粧料繰出容器７の大径部分（ハカマ部８）が、上記レフィルホルダ１２の筒状部１２ａ内周面の下部（貫通穴１２ｃの近傍）に形成されたリブ状の各ストッパ１２ｄに係止され、上記市販用棒状化粧料繰出容器７の下方への抜け落ちが防止される。したがって、本第２実施形態の棒状化粧料テスターＢ１においても、試供用棒状化粧料繰出容器（レフィル４）もしくは市販用棒状化粧料繰出容器７のどちらを収容した場合でも、これらの下方への抜け落ちを防止することができる。
【００４１】
なお、この第２実施形態で使用するレフィルホルダ１２は、図３（ｄ）に示すように、普段、テスター展示台（符号４０，図１１参照）側となるレフィルホルダ１２の下面〔図３（ｄ）では上面〕に、透明なオーバーキャップ１０を嵌合できる段部１２ｙが形成されており、ここに、上記オーバーキャップ１０を装着することにより、通常の保管状態とは上下（天地）逆向きで、このままテスターとして卓上等に陳列したり、他の場所に運搬して試用に供したりすることができるようになっている。もちろん、この形態においても、レフィルホルダ１２の内部に試供用棒状化粧料繰出容器（レフィル４）を収容して使用することもできる。
【００４２】
つぎに、上記レフィルホルダの上面に設けられた開口から下向きに挿入された棒状化粧料繰出容器（レフィル４または市販用棒状化粧料繰出容器７）の、上方への抜け出しを防止できる棒状化粧料テスターＡ２，Ｂ２，Ｂ３について説明する。
【００４３】
図５（ａ）は、本発明の第３実施形態における棒状化粧料テスターＡ２の組み立て方法を説明する分解斜視図である。また、図５（ｂ），（ｃ）は、それぞれ、上記棒状化粧料テスターＡ２に用いられているキャップ９，レフィルホルダ１３を開口側から見た斜視図であり、図５（ｄ）は、組み立てられた状態の棒状化粧料テスターＡ２の縦方向断面図である。
【００４４】
この棒状化粧料テスターＡ２も、前記第１実施形態の棒状化粧料テスターＡ１と同様、図５（ａ）のように、レフィルホルダ１３の上面に設けられた開口１３ｅから、アダプタ３が装着されたレフィル４（試供用棒状化粧料繰出容器）を、その繰出口４ａを下向きにしてレフィルホルダ１３内に挿入し、図５（ｃ）に示すように、上記繰出口４ａをレフィルホルダ１３の底部（底板１３ｂ）に設けられた貫通穴１３ｃから下方に突出させた状態に、組み立てられている。
【００４５】
上記棒状化粧料テスターＡ２の構成が、前記棒状化粧料テスターＡ１と異なる点は、上記レフィル４を挿入するためのレフィルホルダ１３の上部開口１３ｅの縁部に、図５（ｃ）のように、レフィル４（およびそれを嵌合したアダプタ３）の容器の上方（開口方向）への抜け出しを防止する上側係止部（上側ストッパ）１３ｇ，１３ｇが形成されている点である。
【００４６】
これら上側係止部１３ｇ，１３ｇは、レフィルホルダ１３の上面開口１３ｅの縁部に縦方向に設けられた２本のスリットの間に形成された板ばね状の可撓片の先端部分に、内側（内周）に向かって所定量突出するように形成されており、図５（ｃ）および図５（ｄ）のように、アダプタ３に嵌合されたレフィル４を挿入した場合、上記各上側係止部１３ｇ，１３ｇが、アダプタ３の天板３ｃの縁部に係合して、この天板３ｃをしっかりと保持するようになっている。
【００４７】
なお、上記のように上面開口１３ｅの内側（内周）に上側係止部１３ｇ，１３ｇを設けたことに伴い、色見本部９ａを有するキャップ９との嵌合は、上記上面開口１３ｅの外側（筒状部１３ａの外周）に嵌め入れるように変更されており、上記キャップ９の内側側面に形成された係合部９ｂ（凹状）が、上記レフィルホルダ１３の外側側面に設けられた被係合部１３ｆ（凸状）に係合されるようになっている〔図５（ｄ）では表れない側の側面〕。また、他の部位の構成は前記棒状化粧料テスターＡ１と同様であるため、詳細な説明は省略する（１１ａと１３ａ等、参照符号のアルファベットが同一のものは、同じ機能を備える部材を表す）。
【００４８】
以上の構成によっても、上記アダプタ３を装着したレフィル４をレフィル１３の内周に挿入・収納した場合、アダプタ３の下側大径部（底板３ｂ）が、上記レフィルホルダ１３の筒状部１３ａ内周面の下部に形成されたリブ状の各ストッパ１３ｄに係止され、上記レフィル４の下方への抜け落ちが防止される。しかも、上記棒状化粧料テスターＡ２は、アダプタ３の上側大径部（天板３ｃ）が、上記のように、レフィルホルダ１３の上側係止部１３ｇ，１３ｇで保持されることから、この棒状化粧料テスターＡ２を下向きに（レフィル４の繰出口４ａを下にして）落下させてしまった場合に、このレフィル４に加わる上向きの衝撃荷重を、上記上側係止部１３ｇ，１３ｇの保持で受け止め、このレフィル４（およびアダプタ３）の上方への抜け出しを、防止することができる。
【００４９】
つぎに、図６（ａ）は、本発明の第４実施形態における棒状化粧料テスターＢ２の組み立て方法を説明する分解斜視図である。また、図６（ｂ），（ｃ）は、それぞれ、上記棒状化粧料テスターＢ２に用いられているキャップ９，レフィルホルダ１４を開口側から見た斜視図であり、図６（ｄ）は、組み立てられた状態の棒状化粧料テスターＢ２の縦方向断面図である。
【００５０】
この棒状化粧料テスターＢ２も、前記第２実施形態の棒状化粧料テスターＢ１と同様、図６（ａ）のように、レフィルホルダ１４の上面に設けられた開口１４ｅから、市販用棒状化粧料繰出容器７（ハカマ部８）を、その繰出口７ａを下向きにしてレフィルホルダ１４内に挿入し、図６（ｃ）に示すように、市販用棒状化粧料繰出容器７の内筒５をレフィルホルダ１４の底部（底板１４ｂ）に設けられた貫通穴１４ｃから下方に突出させた状態に、組み立てられている。
【００５１】
そして、上記棒状化粧料テスターＢ２の構成が、前記棒状化粧料テスターＢ１と異なる点は、上記市販用棒状化粧料繰出容器７を挿入するためのレフィルホルダ１４の上部開口１４ｅの縁部に、図６（ｃ）のように、市販用棒状化粧料繰出容器７（ハカマ部８）の上方（開口方向）への抜け出しを防止する上側係止部１４ｇ，１４ｇが形成されている点である。
【００５２】
これら上側係止部１４ｇ，１４ｇは、前記の第３実施形態におけるレフィルホルダ１３と同様、レフィルホルダ１４の上面開口１４ｅの縁部に縦方向に設けられた板ばね状の可撓片の先端部分に、内側（内周）に向けて所定量突出するように形成されており、図６（ｃ）および図６（ｄ）のように、市販用棒状化粧料繰出容器７を挿入した場合、上記各上側係止部１４ｇ，１４ｇが、この市販用棒状化粧料繰出容器７の太径部（ハカマ部８）の底側縁部に係合して、このハカマ部８をしっかりとホールドするようになっている。
【００５３】
なお、上面開口１４ｅの内側（内周）に上側係止部１４ｇ，１４ｇを設けたことに伴い、この棒状化粧料テスターＢ２でも、色見本部９ａを有するキャップ９は、上記上面開口１４ｅの外側（筒状部１４ａの外周）に嵌合されるように変更されており、上記キャップ９の内側側面に形成された係合部９ｂ（凹状）が、上記レフィルホルダ１４の外側側面に設けられた被係合部１４ｆ（凸状）に係合されるようになっている〔図６（ｄ）では表れない側の側面〕。また、他の部位の構成は前記棒状化粧料テスターＢ１と同様であるため、詳細な説明は省略する（１２ａと１４ａ等、参照符号のアルファベットが同一のものは、同じ機能を備える部材を表す）。
【００５４】
以上の構成によっても、上記市販用棒状化粧料繰出容器７をレフィル１４の内周に挿入・収納した場合、市販用棒状化粧料繰出容器７の下側大径部（ハカマ部８）が、上記レフィルホルダ１４の筒状部１４ａ内周面の下部に形成されたリブ状の各ストッパ１４ｄに係止され、上記市販用棒状化粧料繰出容器７の下方への抜け落ちが防止される。しかも、上記棒状化粧料テスターＢ２は、市販用棒状化粧料繰出容器７の上側大径部（ハカマ部８）が、上記のように、レフィルホルダ１４の上側係止部１４ｇ，１４ｇで保持されることから、この棒状化粧料テスターＢ２を下向きに（市販用棒状化粧料繰出容器７の繰出口７ａを下にして）落下させてしまった場合、この市販用棒状化粧料繰出容器７に加わる上向きの衝撃荷重を、上記上側係止部１４ｇ，１４ｇの保持で受け止め、この市販用棒状化粧料繰出容器７の上方への抜け出しを、防止することができる。
【００５５】
つぎに、図７に示す第５実施形態（棒状化粧料テスターＢ３）は、上記第４実施形態における棒状化粧料テスターＢ２のキャップ９（色見本を兼用する）を、異なる形状のキャップ９’に交換したものであって、図７（ａ），（ｂ）は、それぞれ、棒状化粧料テスターＢ３に用いられているキャップ９’，レフィルホルダ１４を開口側から見た斜視図であり、図７（ｃ），（ｄ）は、それぞれ、互いに直交する方向で切断した棒状化粧料テスターＢ３の断面図である。
【００５６】
この棒状化粧料テスターＢ３も、前記第２，４実施形態の棒状化粧料テスターＢ１，Ｂ２と同様、図７（ａ）のように、レフィルホルダ１４の上面に設けられた開口１４ｅから、市販用棒状化粧料繰出容器７（ハカマ部８）を、その繰出口７ａを下向きにしてレフィルホルダ１４内に挿入し、図７（ｃ），（ｄ）に示すように、市販用棒状化粧料繰出容器７の内筒５をレフィルホルダ１４の底部（底板１４ｂ）に設けられた貫通穴１４ｃから下方に突出させた状態に、組み立てられる。
【００５７】
また、上記市販用棒状化粧料繰出容器７を挿入するためのレフィルホルダ１４の上部開口１４ｅの縁部には、図７（ａ）のように、市販用棒状化粧料繰出容器７（ハカマ部８）の上方（開口方向）への抜け出しを防止する上側係止部（上側ストッパ）１４ｇ，１４ｇが形成されている。
【００５８】
上記棒状化粧料テスターＢ３の構成が、前記棒状化粧料テスターＢ１，Ｂ２と異なる点は、図７（ｂ）に示すように、レフィルホルダ１４の上面開口１４ｅを蓋するキャップ９’の内面における各上側係止部１４ｇ，１４ｇにそれぞれ対応する位置（内側側面）に、上記板ばね状の可撓片（上側係止部１４ｇ）を内側に向かって撓ませるための「テーパー状のリブ９ｃ」が形成されている点である。
【００５９】
これら上側係止部１４ｇ，１４ｇに対応して配置された各テーパー状のリブ９ｃは、図７（ｃ）に示すように、レフィルホルダ１４の上部（上面開口１４ｅ）に嵌め入れられた場合、これら各テーパー状のリブ９ｃの押圧により、上記各上側係止部１４ｇを、それぞれ内側（すなわちハカマ部８側）に向かって撓ませるため、上記レフィルホルダ１４内に収納された市販用棒状化粧料繰出容器７およびそのハカマ部８を、よりしっかりと保持することができる。
【００６０】
この構成により、上記棒状化粧料テスターＢ３は、上記市販用棒状化粧料繰出容器７の下方への抜け落ちを防止できることは勿論、この棒状化粧料テスターＢ３を真下に向けて（市販用棒状化粧料繰出容器７の繰出口７ａを鉛直下方にして）垂直落下させてしまった場合でも、この市販用棒状化粧料繰出容器７に加わる過大な上向きの衝撃荷重を、上記上側係止部１４ｇ，１４ｇの保持でしっかり受け止め、この市販用棒状化粧料繰出容器７の上方への抜け出しを、防止することができる。
【００６１】
なお、市販用棒状化粧料繰出容器７のハカマ部８の径が小さく、上記キャップ９’のリブ９ｃの内側方向への押圧が不足する場合は、上記ハカマ部８の外径に、その径を太くして上記上側係止部１４ｇ，１４ｇへの係合（係止）を強めることのできるアタッチメント等を嵌め入れてもよい。
【００６２】
つぎに、図８，図９に示す本発明の第６実施形態（棒状化粧料テスターＣ１）は、前記第１〜第５実施形態の棒状化粧料テスターＡ１，Ａ２，Ｂ１，Ｂ２，Ｂ３が、上記各棒状化粧料繰出容器４，７を保持体（レフィルホルダ１１〜１４）上面に設けられた開口１１ｅ，１２ｅ，１３ｅ，１４ｅから挿入して保持する構造であったのに対し、この棒状化粧料テスターＣ１は、これら各棒状化粧料繰出容器４，７を、保持体（レフィルホルダ２１）の側面に設けられた開口（図示では見えない側の側面開口２３）から挿入して収容する構造を採用するものである。
【００６３】
保持体としてのレフィルホルダ２１は、外周が多角形状（本実施形態においては略四角形状）に形成され、その側面の一面（図示右側に位置する紙面裏側）が側面開口２３として大きく開口する筒状部２１ａと、各棒状化粧料繰出容器４，７の先端（繰出口４ａ，７ａ）を挿通させることのできる貫通穴２１ｃを有する底板２１ｂと、筒状部２１ａの上面を覆う天板部２１ｅとから構成されている。このレフィルホルダ２１の筒状部２１ａ内周面の下部（貫通穴２１ｃの近傍）には、図８（ａ），（ｂ）に示すように、リブ状（もしくはフランジ状）のストッパ２１ｄが設けられており、後記する側面部材２２のリブ状のストッパ２２ｄとともに、この位置で、上記各棒状化粧料繰出容器４，７の大径部分を係止するリング状（もしくはフランジ状）のストッパを形成するようになっている。
【００６４】
また、上記レフィルホルダ２１の側面開口２３（図示の紙面裏側方向）を蓋する側面部材２２は、棒状化粧料の色見本または商品説明表示部を兼用する側板２２ａと、上記レフィルホルダ２１を蓋した際に上記底板２１ｂの貫通穴２１ｃに対応する開口を有する底板２２ｂと、上記レフィルホルダ２１の内部に挿入できる幅を有する天板部２２ｃとからなり、上記レフィルホルダ２１を蓋した際に上記レフィルホルダ２１内のストッパ２１ｄに対応する位置に、リブ状（もしくはフランジ状）のストッパ２２ｄが設けられている。そして、先にも述べたように、この側面部材２２でレフィルホルダ２１の上記側面開口２３を蓋することにより、レフィルホルダ２１の筒状部２１ａ内周面の下部（貫通穴２１ｃの近傍）の所定位置に、全体としてリング状の、棒状化粧料繰出容器４，７の大径部分を係止するストッパが形成される。
【００６５】
上記のような構造の棒状化粧料テスターＣ１において、アダプタ３が装着されたレフィル４を収容する場合は、図８（ａ）に示すように、上記レフィルホルダ２１の側面開口２３（図示の紙面裏側方向）を開放した状態で、この側面開口２３から、アダプタ３付きレフィル４を、その先端の繰出口４ａが上記貫通穴２１ｃを通過するように斜めに挿通させ、レフィル４の大径部（アダプタ３の下端の底板３ｂ）の一部を、開口奥側のストッパ２１ｄに係止させる。ついで、この側面開口２３に、側面部材２２を嵌め入れて側面開口２３を蓋することにより、上記レフィル４の大径部の全体が、略リング状のストッパ（レフィルホルダ２１のストッパ２１ｄおよび側面部材２２のストッパ２２ｄ）によって、抜け落ち防止状に係止される〔図９（ａ）参照〕。
【００６６】
また、市販用棒状化粧料繰出容器７を収容する場合も同様に、図８（ｂ）に示すように、上記レフィルホルダ２１の側面開口２３（図示右側に位置する紙面裏側）を開放した状態で、この側面開口２３から、市販用棒状化粧料繰出容器７を、その先端の繰出口７ａが上記貫通穴２１ｃを通過するように斜めに挿通させ、市販用棒状化粧料繰出容器７の大径部分（ハカマ部８の下端）を、開口奥側のストッパ２１ｄに係止させる。ついで、この側面開口２３に、側面部材２２を嵌め入れて側面開口２３を蓋することにより、上記市販用棒状化粧料繰出容器７の大径部分全体が、略リング状のストッパ（レフィルホルダ２１のストッパ２１ｄおよび側面部材２２のストッパ２２ｄ）によって、抜け落ち防止状に係止される〔図９（ｂ）参照〕。
【００６７】
以上の構成により、第６実施形態の棒状化粧料テスターＣ１も、レフィルホルダ２１の内部に、試供用棒状化粧料繰出容器（レフィル４）もしくは市販用棒状化粧料繰出容器７のどちらを収容した場合でも、これらの下方への抜け落ちを防止することができる。
【００６８】
なお、上記各実施形態においては、保持体内に試供用棒状化粧料繰出容器（レフィル４）を収容するにあたり、レフィルホルダ１１〜１４，２１への収容前にアダプタ３を装着したレフィル４を用いたが、本発明の棒状化粧料テスターの組み立ては、上記レフィルホルダ１１〜１４，２１内に予め、空のアダプタ３のみを所定位置にセットしておき、レフィルホルダ１１〜１４，２１の底板１１ｂ〜１４ｂ，２１ｂにそれぞれ設けられた貫通穴１１ｃ〜１４ｃ，２１ｃから、上記レフィル４の回動操作部６を挿入して、この回動操作部６をアダプタ３の円筒部３ａの内周に、相対回転不能に嵌合固定してもよい。
【００６９】
また、各レフィルホルダ１１〜１４，２１（２２）の内面に形成される、棒状化粧料繰出容器係止用のストッパ１１ｄ〜１４ｄ，２１ｄ（２２ｄ）の数や形状も、上記レフィル４のアダプタ３または市販用棒状化粧料繰出容器７の外形形状等に合わせて、適宜変更することができる。
【００７０】
さらに、第１，３実施形態で例示した、レフィルホルダ１１，１３の筒状部１１ａ，１３ａの外側角部を斜め状に貫通するストラップホール１１ｘ，１３ｘは、他の実施形態のレフィルホルダに形成してもよい。これにより、従来の棒状化粧料テスターに比べ、盗難防止用に用いられるテグス等を簡単に挿通して利用することができるようになる。
【００７１】
そして、第２，４，５実施形態で例示した、透明なオーバーキャップ１０嵌合用のレフィルホルダ１２，１４下面の段部１２ｙ，１４ｙを、第１，３，６実施形態のレフィルホルダ１１，１３，２１の上面に形成し、オーバーキャップ１０を使用する構成としてもよい。これにより、第２，４，５実施形態と同様、通常の保管状態とは上下（天地）逆向きの、繰出口４ａが上向きの棒状化粧料テスターとして、卓上等に陳列したり、他の場所に運搬して試用に供したりすることができ、その利便性や利用形態を拡張することができる。
【産業上の利用可能性】
【００７２】
本発明の棒状化粧料テスターは、店頭等に展示されてユーザーが試用することのできる口紅テスターやリップクリームテスター等、不特定多数の人が利用する可能性のあるサンプルテスターに適する。
【符号の説明】
【００７３】
１１，１２，１３，１４：レフィルホルダ
１１ａ，１２ａ，１３ａ，１４ａ：筒状部
１１ｂ，１２ｂ，１３ｂ，１４ｂ：底板
１１ｃ，１２ｃ，１３ｃ，１４ｃ：貫通穴
１１ｄ，１２ｄ，１３ｄ，１４ｄ：ストッパ
１１ｅ，１２ｅ，１３ｅ，１４ｅ：開口
１１ｆ，１２ｆ：被係合部（凹状）
１３ｆ，１４ｆ：被係合部（凸状）
１３ｇ，１４ｇ：上側係止部（ストッパ）
１１ｘ，１３ｘ：ストラップホール
１２ｙ，１４ｙ：段部
２：キャップ
２ａ：色見本部    ２ｂ：嵌合部    ２ｃ：係合部
３：アダプタ
３ａ：円筒部    ３ｂ：底板    ３ｃ：天板    ３ｄ：係合部    ３ｅ：リブ
４：レフィル（試供用棒状化粧料繰出容器）
４ａ：繰出口
５：外筒
５ａ：樹脂キャップ（保護カバー）
６：回動操作部（内筒）
７：市販用棒状化粧料繰出容器
７ａ：繰出口
８：ハカマ部
９，９’：キャップ
９ａ：色見本部    ９ｂ：係合部    ９ｃ：リブ
１０：オーバーキャップ
２１：レフィルホルダ
２１ａ：筒状部  ２１ｂ：底板  ２１ｃ：貫通穴  ２１ｄ：ストッパ  ２１ｅ：天板部
２２：側面部材
２２ａ：側板    ２２ｂ：底板    ２２ｃ：天板部    ２２ｄ：ストッパ
２３：側面開口
Ａ１，Ａ２，Ｂ１，Ｂ２，Ｂ３，Ｃ１：棒状化粧料テスター
【図１】
2015109961.tif 000003
【図２】
2015109961.tif 000004
【図３】
2015109961.tif 000005
【図４】
2015109961.tif 000006
【図５】
2015109961.tif 000007
【図６】
2015109961.tif 000008
【図７】
2015109961.tif 000009
【図８】
2015109961.tif 000010
【図９】
2015109961.tif 000011
【図１０】
2015109961.tif 000012
【図１１】
2015109961.tif 000013